(57)【特許請求の範囲】
【請求項１】
樋を吊り下げて支持装着可能であって、樋の耳部を掛止する樋耳掛止部を備えた進退調節可能な樋吊具本体と、
前記樋吊具本体に基板部が固着されると共に、その両側端には、貫通口を形成し、且つ片側端からのみバネ性を備えた操作片部が略上方に向けて延設された蝶バネと、
前記蝶バネの貫通口を貫通するスライド足片が前方に延設され、基端側には軒先等に固定される固定部が形成された取付部材と、より成る樋吊具。
【請求項２】
請求項１において、
上記スライド足片には、凹凸部が形成されると共に、上記蝶バネの貫通口には、上記凹凸部に係止される爪部が形成されている樋吊具。
【請求項３】
請求項１又は２において、
上記取付部材の基端側に形成された固定部は、上下方向にスライド調節可能な高さ調節部を備えた構造にしている樋吊具。
【発明の詳細な説明】
【０００１】
【発明の属する技術分野】
本発明は、軒先等に配される樋を吊り下げて支持装着する樋吊具に関し、詳しくは、樋を吊り下げて支持装着する樋吊具本体と、軒先等に固定される取付部材とが進退調節可能に連結された樋吊具に関する。
【０００２】
【従来の技術】
図６は、従来の樋吊具を示した斜視図である。
【０００３】
この樋吊具１００は、樋吊具本体１０１と取付部材１０２とを蝶ネジ１０３で連結して、樋吊具本体１０１に吊下げ支持装着された樋Ｔをスライド可能にしたものである。
【０００４】
具体的には、樋吊具本体１０１は、前後端に樋Ｔを吊下げ支持するための樋耳掛止部１１１を各々形成すると共に、長手方向には、蝶ネジ１０３を貫通する長孔１２１を形成している。
【０００５】
取付部材１０２は、軒先等に固定される固定部１１２から前方に向けて足杆１２２を延設し、この足杆１２２の前方は、段落ち形成した連結片部１３２を形成し、該連結片部１３２には、蝶ネジ１０３を螺合するネジ孔１４２を開設している。
【０００６】
このように、樋吊具１００は、下方から蝶ネジ１０３のボルト部１１３を、ワッシャ１０５を介して樋吊具本体１０１の長孔１２１に貫通させ、その先端を取付部材１０２のネジ孔１４２に螺合している。
【０００７】
上記の通り構成された従来の樋吊具１００は、取付部材１０２の固定部１１２を軒先等に固定し、上記蝶ネジ１０３を弛めておけば、長孔１２１の範囲で樋吊具本体１０１をスライドすることができる。
【０００８】
そして、樋支持具本体１０１を所望の位置で止めて、蝶ネジ１０３を下方から締め付ければ、その締結によって樋吊具本体１０１が取付部材１０２に対して圧接固定され、樋吊具本体１０１のスライドを規制できる。
【０００９】
こうして位置固定された樋吊具本体１０１に、樋Ｔを吊り下げ支持した状態で装着するのである。
【００１０】
【発明が解決しようとする課題】
しかしながら、所望の位置に位置決めされた樋吊具本体１０１を、蝶ネジ１０３で一々螺合する作業は面倒である。
【００１１】
特に、一旦位置決めされた樋吊具本体１０１の位置を再度調節するときには、蝶ネジ１０３を弛めたうえで、再調節を行い、更にこれを締め付ける必要があり、極めて面倒であり手間がかかるなどの問題があった。
【００１２】
本発明は、かかる課題を解決することを目的とするもので、樋吊具本体の位置調節をワンタッチで素早く且つ簡単に行うことができる樋吊具を提供している。
【００１３】
【課題を解決するための手段】
上記目的を達成するため、
請求項１に係る樋吊具は、樋を吊り下げて支持装着可能であって、樋の耳部を掛止する樋耳掛止部を備えた進退調節可能な樋吊具本体と、前記樋吊具本体に基板部が固着されると共に、その両側端には、貫通口を形成し、且つ片側端からのみバネ性を備えた操作片部が略上方に向けて延設された蝶バネと、前記蝶バネの貫通口を貫通するスライド足片が前方に延設され、基端側には軒先等に固定される固定部が形成された取付部材とより成る。
【００１４】
請求項１では、蝶バネを介して樋吊具本体と取付部材とを進退調節可能にしている。
【００１５】
すなわち、蝶バネの操作片部を摘み、その弾性力に抗して内側に弾性付勢すれば、貫通口に係止されていた取付部材のスライド足片がスライド可能となるため、これを所望の位置に進退調節させる。
【００１６】
そして、所望の位置に進退調節したときには、上記蝶バネの操作片部を離せば、その弾性が解除され、貫通口のエッジ部がスライド足片に係止し、そのスライドを規制できる。
【００１７】
このように、本発明によれば、蝶バネの操作片部を摘むか又は離すだけで、樋吊具本体の進退調節をワンタッチで素早く且つ簡単に行うことができる。また、蝶バネの操作片部は、基板部の片側端からのみ延設されて形成しているため、蝶バネの構造を簡易にできる。
【００１８】
請求項２に係る樋吊具は、請求項１において、上記スライド足片には、凹凸部が形成されると共に、上記蝶バネの貫通口には、上記凹凸部に係止される爪部が形成されている。
【００１９】
請求項２では、ロック時において、凹凸部と爪部とが係合される構造に形成されているので、蝶バネの操作片部を離せば、その弾性が解除され、貫通口の爪部がスライド足片に係止されるため、そのスライドを確実に規制できる。
【００２０】
（削除）
【００２１】
（削除）
【００２２】
請求項３に係る樋吊具は、請求項１又は２において、上記取付部材の基端側に形成された固定部は、上下方向にスライド調節可能な高さ調節部を備えた構造にしている。
【００２３】
請求項３では、取付部材の固定部には、高さ調節部を備えているので、樋受具本体の進退調節だけでなく、その高さ調節をも行うことができる。
【００２４】
【発明の実施の形態】
以下、本発明に係る樋吊具Ａを図面とともに説明する。
【００２５】
図１は、本発明に係る樋吊具の一実施例（参考例）を示す分解斜視図、図２は、図１の組立状態を示す斜視図である。
【００２６】
この樋吊具Ａは、樋Ｔを支持受け装着可能であって、樋Ｔの耳部Ｔ１を掛止する樋耳掛止部１１を備えた進退調節可能な樋吊具本体１と、前記樋吊具本体１に基板部２１が固着されると共に、その両側端には、貫通口２２を形成し、且つバネ性を備えた操作片部２３が略上方に向けて延設された蝶バネ２と、前記蝶バネ２の貫通口２２を貫通するスライド足片３１が前方に延設され、基端側には軒先等に固定される固定部３２が形成された取付部材３と、より成り、樋吊具本体１は、蝶バネ２を介して取付部材３と進退調節可能に連結されている。
【００２７】
樋吊具本体１は、樋Ｔの形状に合わせて適宜形成され、ここでは、角状の樋Ｔに対応したものを例示しているが、これに限定されるものではなく、半円状の樋などでも構わない。
【００２８】
蝶バネ２は、樋吊具本体１の適所に、リベット止め或いは溶接等で固着される基板部２１と、この基板部２１の前後方向の両側端から上方に略拡開した状態に延設され、且つ、スライド足片３１を貫通する貫通口２２が形成されたバネ性を備えた操作片部２３とより構成されている。
【００２９】
また、本実施例では、蝶バネ２の両側端から各々延設された操作片部２３を形成している本発明の参考例を示しているが、本発明では、この操作片部２３を、基板部２１の一方の側端のみに形成している。このような片方のみに操作片部２３を形成することで、その構造を簡易にできる。
【００３０】
また、操作片部２３に形成された貫通口２２は、スライド足片３１を貫通できれば良く、例えば、貫通口２２の周囲の一部が切欠された略コ状に形成したものでも構わない。
【００３１】
取付部材３は、蝶バネ２の貫通口２２を貫通するスライド足片３１が前方に延設され、基端側には軒先等に固定される固定部３２とより成る。
【００３２】
本実施例で例示した取付部材３は、金属板を略Ｌ状に折曲形成したスライド足片３１と、その基端の鉛直片を支持固定する固定部３２とより成るものであるが、これに限定されるものではなく、要するに、蝶バネ２の貫通口２２に貫通されるスライド足片３１を備えていれば、このスライド足片３１の基端側は、どのように軒先等に固定されていても構わない。
【００３３】
なお、スライド足片３１は、図で示したような板状以外にも断面略コ状に形成しても良く、また、固定部３２は、これを建物の壁などに固着できれば良く、本実施例のものに限定されない。
【００３４】
上記のように構成された本発明に係る樋吊具Ａは、軒先等に取付部材３の固定部３２を釘等で固定する。
【００３５】
そして、樋吊具本体１に固着された蝶バネ２の操作片部２３を摘んで、その弾性力に抗しながら内側に閉め込めば、操作片部２３が拡開状態から鉛直状態に変位される。
【００３６】
そのため、操作片部２３の対向する貫通口２２が完全に重合された状態となり、この状態でスライド足片３１を貫通口２２に貫通すれば、図２で示すように、取付部材３のスライド足片３１に、蝶バネ２を介して樋吊具本体１を組み付けることができる。
【００３７】
このように、蝶バネ２の操作片部２３を摘んで、内側に閉め込めば、樋吊具本体１を前後にスライドさせることができるため、樋吊具本体１を所望の位置に進退調節できる。
【００３８】
そして、樋吊具本体１が所望の位置となったときに、蝶バネ２の操作片部２３を離せば、その弾性力によって、操作片部２３が外側に拡開され、貫通口２２のエッジ部がスライド足片３１に係止し、そのスライドを規制できる。
【００３９】
こうして位置固定された樋吊具本体１に、樋Ｔを吊下げ支持装着するのである。
【００４０】
本発明に係る樋吊具Ａによれば、蝶バネ２を介して樋吊具本体１と取付部材３とを進退調節可能にされた構造にしているので、蝶バネ２の操作片部２３を摘むか又は離すだけで、樋吊具本体１の進退調節をワンタッチで素早く且つ簡単に行うことができる。
【００４１】
図３は、蝶バネの他の実施例（参考例）を示す斜視図である。
【００４２】
図３（ａ）は、蝶バネ２の操作片部２３が、基板部２１の前後方向の両側端から略拡開状態に延設した後、その下端を内側に狭めた括れ部２５を形成して更に拡開状態に延設したものである。
【００４３】
図３（ｂ）は、蝶バネ２の一方の操作片部２３は、基板部２１の一側端から略拡開状態に延設させると共に、他方の操作片部２３は、その下端を内側に狭めた括れ部２５を形成して更に拡開状態に延設したものである。
【００４４】
このような、括れ部２５が形成された蝶バネ２によれば、操作片部２３の下端に指を差し入れて摘み易く、指を差し入れる間隙が少ない場合でも、操作片部２３の操作を容易に行うことができる。
【００４５】
図４は、本発明に係る樋吊具の他の実施例（参考例）の要部を示す部分拡大断面図であり、（ａ）は、ロック状態を、（ｂ）は、アンロック状態を各々示している。
【００４６】
ここで、図１、図２と共通する部位には、共通の符号を付し、その説明を省略している。
【００４７】
この樋吊具Ａは、スライド足片３１の上面に、長手方向に連続された凹凸部３１ａを形成すると共に、蝶バネ２の貫通口２２には、前記凹凸部３１ａに係止される爪部２２ａを形成した点に特徴がある。
【００４８】
すなわち、上記同様、図４（ａ）で示すロック状態から、蝶バネ２の操作片部２３を摘んで、内側に閉め込めば、図４（ｂ）で示すように、樋吊具本体１を前後にスライドさせることができるため、樋吊具本体１を所望の位置に進退調節できる。
【００４９】
そして、樋吊具本体１が所望の位置となったときに、蝶バネ２の操作片部２３を離せば、図４（ａ）で示すように、その弾性力によって、操作片部２３が外側に拡開され、貫通口２２の爪部２２ａがスライド足片３１の凹凸部３１ａに係止し、そのスライドを確実に規制できる。
【００５０】
なお、貫通口２２の端縁が鋭角なときには、そのエッジ部が爪部２２ａとして機能するが、図４で示すように貫通口２２の端縁に爪片を突設させたものであっても構わない。
【００５１】
また、図４では、スライド足片３１の上面に凹凸部３１ａを形成すると共に、蝶バネ２の貫通口２２の上端に、これに係止される爪部２２ａを形成したものを例示したが、この凹凸部３１ａは、スライド足片３１の下面、或いは上、下面に形成することもでき、これらの凹凸部３１ａに係止される爪部２２ａは、蝶バネ２の貫通口２２の下端、或いは上、下端に各々対応させて形成することもできる。
【００５２】
図５は、本発明に係る樋吊具の他の実施例（参考例）を示す概略側面図である。
【００５３】
ここで、図１〜図４と共通する部位には、共通の符号を付し、その説明を省略している。
【００５４】
この樋吊具Ａでは、取付部材３の基端側に形成された固定部３２は、上下方向にスライド調節可能な高さ調節部４を備えた構造にした点に特徴がある。
【００５５】
図５（ａ）で示す樋吊具Ａは、凹凸部３１ａが形成されたスライド足片３１の基端側を上方に折曲し、これと別形成された帯板状の固定部３２を接合させ、これらスライド足片３１の基端側又は固定部３２の一方に長孔を形成すると共に、他方には貫通孔を形成し、これら長孔と貫通孔に蝶ナットなどの締結具で連結された高さ調節部４を設けたものである。
【００５６】
図５（ｂ）は、凹凸部３１ａが形成されたスライド足片３１の基端側を上方に折曲すると共に、この折曲した部分にも上記同様の凹凸部３１ａを形成し、且つ、これと別形成された帯板状の固定部３２を隣接させると共に、この固定部３２には上記同様の蝶バネ２が固着された高さ調節部４を設けたものである。
【００５７】
これらの樋吊具Ａによれば、上記効果に加え、取付部材３の固定部３２には、高さ調節部４を備えているので、樋吊具本体１の進退調節だけでなく、その高さ調節をも行うことができる。
【００５８】
【発明の効果】
本発明によれば、次のような効果がある。
【００５９】
請求項１に係る樋吊具によれば、蝶バネを介して樋吊具本体と取付部材とを進退調節可能にされた構造にしているので、蝶バネの操作片部を摘むか又は離すだけで、樋吊具本体の進退調節をワンタッチで素早く且つ簡単に行うことができる。また、蝶バネの操作片部は、基板部の片側端からのみ延設されて形成しているため、蝶バネの構造を簡易にできる。
【００６０】
請求項２に係る樋吊具によれば、ロック時において、凹凸部と爪部とが係合される構造に形成されているので、蝶バネの操作片部を離せば、その弾性が解除され、貫通口の爪部がスライド足片に係止されるため、そのスライドを確実に規制できる。
【００６１】
（削除）
【００６２】
請求項３に係る樋吊具によれば、取付部材の固定部には、高さ調節部を備えているので、樋受具本体の進退調節だけでなく、その高さ調節をも行うことができる。
【図面の簡単な説明】
【図１】本発明に係る樋吊具の一実施例（参考例）を示す分解斜視図
【図２】図１の樋吊具の組立状態を示す斜視図
【図３】蝶バネの他の実施例（参考例）を示す斜視図
【図４】本発明に係る樋吊具の他の実施例（参考例）の要部を示す部分拡大断面図
【図５】本発明に係る樋吊具の他の実施例（参考例）を示す概略側面図
【図６】従来の樋吊具を示した斜視図
【符号の説明】
Ａ      樋吊具
Ｔ      樋
Ｔ１    耳部
１      樋吊具本体
１１    樋耳掛止部
２      蝶バネ
２１    基板部
２２    貫通口
２２ａ  爪部
２３    操作片部
３      取付部材
３１    スライド足片
３１ａ  凹凸部
３２    固定部
４      高さ調節部
【図１】
0004746780.tif 000002
【図２】
0004746780.tif 000003
【図３】
0004746780.tif 000004
【図４】
0004746780.tif 000005
【図５】
0004746780.tif 000006
【図６】
0004746780.tif 000007